(57)【要約】  本発明の蓄電モジュールは、蓄電デバイスと、底面部と開口部とを有し、蓄電デバイスが収容されるケースと、開口部を覆う蓋と、を備える。ケースは、開口部の外周に内側縁面を有し、蓋は、裏側に、ケースの内側縁面と対向する底面を有し、ケースと蓋とが、ケースの内側縁面と蓋の底面との間に介在するガスケットにより封止される。
2019189162.tif 000002
【特許請求の範囲】
【請求項１】
蓄電デバイスと、
底面部と開口部とを有し、前記蓄電デバイスが収容されるケースと、
前記開口部を覆う蓋と、を備え、
前記ケースは、前記開口部の外周に第１のケース面を有し、
前記蓋は、裏側に、前記第１のケース面と対向する第１の蓋面を有し、
前記ケースと前記蓋とが、前記第１のケース面と前記第１の蓋面との間に介在する封止部により封止される、
ことを特徴とする蓄電モジュール。
【請求項２】
請求項１に記載の蓄電モジュールにおいて、
前記ケースは、前記第１のケース面の外周に、前記第１のケース面よりも前記底面部から高い位置にある第２のケース面を有し、
前記第１の蓋面と前記第２のケース面とが接触する、
ことを特徴とする蓄電モジュール。
【請求項３】
請求項２に記載の蓄電モジュールにおいて、
前記ケースは、前記第１のケース面と前記第２のケース面とに繋がる第３のケース面を有し、
前記封止部は、前記第３のケース面と接触する、
ことを特徴とする蓄電モジュール。
【請求項４】
請求項３に記載の蓄電モジュールにおいて、
前記蓋部は、前記第１の蓋面に繋がり、前記第３のケース面と対向する第２の蓋面を有し、
前記封止部は、前記第３のケース面と前記第２の蓋面との間にあり、前記第２の蓋面と接触しない、
ことを特徴とする蓄電モジュール。
【請求項５】
請求項４に記載の蓄電モジュールにおいて、
前記蓋は、前記第１の蓋面の外周に、前記第１の蓋面と交差する方向に延びる第３の蓋面を有し、
前記ケースは、前記第２のケース面に繋がり、前記第３の蓋面に外側から対向する第４のケース面を有し、
前記第４のケース面と前記第３の蓋面との間に第１の隙間が設けられる、
ことを特徴とする蓄電モジュール。
【請求項６】
請求項５に記載の蓄電モジュールにおいて、
前記ケースは、前記第１のケース面に繋がり、前記第２の蓋面に外側から対向する第５のケース面を有し、
前記第５のケース面と前記第２の蓋面との間に第２の隙間が設けられ、
前記第４のケース面と前記第３の蓋面との距離が前記第５のケース面と前記第２の蓋面との距離よりも短い、
ことを特徴とする蓄電モジュール。
【請求項７】
請求項１ないし６の何れか一項に記載の蓄電モジュールにおいて、
前記封止部は、弾性体であり、前記第１のケース面と前記第１の蓋面との間で圧縮されている、
ことを特徴とする蓄電モジュール。
【請求項８】
請求項７に記載の蓄電モジュールにおいて、
前記蓋には、表側に、前記第１の蓋面に背向する第４の蓋面から突出し、前記封止部に沿う突状部が設けられる、
ことを特徴とする蓄電モジュール。
【請求項９】
請求項８に記載の蓄電モジュールにおいて、
前記突状部は、前記開口部を正面視したときに、前記封止部と重なるように設けられる、
ことを特徴とする蓄電モジュール。
【請求項１０】
請求項７ないし９の何れか一項に記載の蓄電モジュールにおいて、
前記第１のケース面と前記封止部の密着強度は、前記第１の蓋面と前記封止部の密着強度よりも大きい、
ことを特徴とする蓄電モジュール。
【請求項１１】
請求項７ないし１０の何れか一項に記載の蓄電モジュールにおいて、
前記封止部は、紫外線硬化樹脂により形成される、
ことを特徴とする蓄電モジュール。
【請求項１２】
請求項７ないし１１の何れか一項に記載の蓄電モジュールにおいて、
前記ケースは、前記開口部側の面の形状が長方形であり、４つの角部に第１の固定部を有するとともに、長手方向に並ぶ２つの前記第１の固定部の間に２つの第２の固定部を有し、
前記第２の固定部と当該第２の固定部に近い側の前記第１の固定部との距離は、前記第２の固定部同士の距離よりも短くされ、
前記蓋と前記ケースは、前記第１の固定部および前記第２の固定部で固定されている、ことを特徴とする蓄電モジュール。
【発明の詳細な説明】
【技術分野】
【０００１】
本発明は、蓄電モジュールに関する。
【背景技術】
【０００２】
複数の蓄電装置と、これら蓄電装置を支持するホルダーと、蓄電装置と電気的に接続され、ホルダーに支持された制御基板と、蓄電装置と電気的に接続されたコネクタと、蓄電装置、ホルダー、制御基板およびコネクタを収容する有底筒状のケースと、ケースを封止する蓋とから構成される蓄電ユニットが、たとえば、特許文献１に記載されている。【０００３】
特許文献１の蓄電ユニットでは、蓋は、ケースの開口部側に設けられたケース収容部内に挿入され、ビスによりケースに固定される。蓋には貫通孔が設けられ、この貫通孔からコネクタがケースの外部に露出する。
【先行技術文献】
【特許文献】
【０００４】
【特許文献１】国際公開第２０１６／１１０８８６号
【発明の概要】
【０００５】
上記蓄電ユニットでは、蓋とケースとの境目（継ぎ目）がケースの側壁部側も表れず、ケースの開口部側のみに表れる。このため、外部からの水適は、蓋とケースの底面部が対向する方向以外から境目を通じてケースの内部に入り込むことができず、ケースの内部に水滴が入り込む可能性を低減できる。
【０００６】
しかしながら、蓄電ユニットが、より水に晒されやすい環境で使用される場合には、蓋とケースとの境目から水が入り込んだときに、その水がケースの内部に浸入してしまわないよう、蓋とケースとの間に、より高い水封性が求められる。
【０００７】
かかる課題に鑑み、本発明は、蓄電デバイスが収容されるケースと、ケースの開口部を覆う蓋との間の水封性を向上できる蓄電モジュールを提供することを目的とする。
【０００８】
本発明の主たる態様に係る蓄電モジュールは、蓄電デバイスと、底面部と開口部とを有し、前記蓄電デバイスが収容されるケースと、前記開口部を覆う蓋と、を備える。ここで、前記ケースは、前記開口部の外周に第１のケース面を有し、前記蓋は、裏側に、前記第１のケース面と対向する第１の蓋面を有し、前記ケースと前記蓋とが、前記第１のケース面と前記第１の蓋面との間に介在する封止部により封止される。
【０００９】
なお、特許請求の範囲において、「対向」との用語は、向き合うことを意味し、必ずしも向き合うもの同士が平行であることを要しない。
【００１０】
本発明によれば、蓄電デバイスが収容されるケースと、ケースの開口部を覆う蓋との間の水封性を向上できる。
【００１１】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００１２】
【図１】図１は、実施の形態に係る、蓄電モジュールの斜視図である。
【図２】図２は、実施の形態に係る、蓄電モジュールの分解斜視図である。
【図３】図３は、実施の形態に係る、前方下方から見た、一体化された蓄電デバイス、デバイスホルダ、回路基板および蓋の斜視図である。
【図４】図４（ａ）ないし（ｃ）は、それぞれ、実施の形態に係る、コネクタが一体形成された蓋の正面斜視図、背面斜視図および底面斜視図である。
【図５】図５は、実施の形態に係る、コネクタが一体形成された蓋の平面図である。
【図６】図６（ａ）および（ｂ）は、それぞれ、実施の形態に係る、ガスケットが形成される前のケースの正面斜視図および背面斜視図である。
【図７】図７（ａ）および（ｂ）は、それぞれ、実施の形態に係る、ケースの平面図および正面図である。
【図８】図８（ａ）は、実施の形態に係る、図７（ａ）のＡ−Ａ´線で切断したケースの部分拡大断面図であり、図８（ｂ）は、実施の形態に係る、図７（ａ）のＢ−Ｂ´線で切断したケースの部分拡大断面図である。
【図９】図９は、実施の形態に係る、図７（ａ）のＡ−Ａ´線と同じ位置で切断された蓄電モジュールの部分拡大断面図である。
【図１０】図１０は、実施の形態に係る、図７（ａ）のＢ−Ｂ´線と同じ位置で切断された蓄電モジュールの部分拡大断面図である。
【発明を実施するための形態】
【００１３】
以下、本実施の形態に係る蓄電モジュール１について図面を参照して説明する。便宜上、各図には、適宜、前後、左右および上下の方向が付記されている。なお、図示の方向は、あくまで蓄電モジュール１の相対的な方向を示すものであり、絶対的な方向を示すものではない。
【００１４】
本実施の形態において、天面４１０ａが、特許請求の範囲に記載の「第４の蓋面」に対応する。また、底面４１０ｂが、特許請求の範囲に記載の「第１の蓋面」に対応する。さらに、周面４１０ｃが、特許請求の範囲に記載の「第３の蓋面」に対応する。さらに、外周面４５１ａが、特許請求の範囲に記載の「第２の蓋面」に対応する。さらに、内周壁面５０７が、特許請求の範囲に記載の「第５のケース面」に対応する。さらに、内側縁面５５１が、特許請求の範囲に記載の「第１のケース面」に対応する。さらに、外側縁面５５２が、特許請求の範囲に記載の「第２のケース面」に対応する。さらに、内側周面５５３が、特許請求の範囲に記載の「第３のケース面」に対応する。さらに、外側周面５５４が、特許請求の範囲に記載の「第４のケース面」に対応する。さらに、角ネジ穴５５５が、特許請求の範囲に記載の「第１のネジ止め部」に対応する。さらに、中間ネジ穴５５６が、特許請求の範囲に記載の「第２のネジ止め部」に対応する。さらに、ガスケット８００が、特許請求の範囲に記載の「封止部」に対応する。さらに、隙間Ｓ１が、特許請求の範囲に記載の「第１の隙間」に対応し、隙間Ｓ２が、特許請求の範囲に記載の「第２の隙間」に対応する。
【００１５】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００１６】
図１は、本実施の形態に係る、蓄電モジュール１の斜視図である。図２は、本実施の形態に係る、蓄電モジュール１の分解斜視図である。なお、図２では、ガスケット８００の図示が省略されている。
【００１７】
蓄電モジュール１は、５つの蓄電デバイス１００と、デバイスホルダ２００と、回路基板３００と、蓋４００と、ケース５００と、を備える。蓋４００には、コネクタ６００が一体形成される。５つの蓄電デバイス１００が保持されたデバイスホルダ２００と、回路基板３００と、蓋４００とが一体化された後、蓄電デバイス１００が保持されたデバイスホルダ２００と回路基板３００とがケース５００内に収容され、ケース５００の開口部５０６が蓋４００で覆われる。蓋４００は、８本のネジ７００によってケース５００に固定される。
【００１８】
蓄電モジュール１は、各種の電子機器、電気機器、産業機器、自動車等に用いられ、電力のアシスト、バックアップなどを行う。蓄電モジュール１が、たとえば、自動車に搭載された場合、自動車のバッテリーからの供給される電力により蓄電デバイス１００を充電することができる。
【００１９】
図３は、本実施の形態に係る、前方下方から見た、一体化された蓄電デバイス１００、デバイスホルダ２００、回路基板３００および蓋４００の斜視図である。
【００２０】
蓄電デバイス１００は、たとえば、電気二重層キャパシタである。蓄電デバイス１００は、リチウムイオンキャパシタ等、電気二重層キャパシタ以外のキャパシタであってもよい。また、蓄電デバイス１００は、その正極の活物質として導電性高分子が用いられたものであってもよい。導電性高分子としては、ポリアニリン、ポリピロールまたはポリチオフェンおよびこれらの誘導体等が挙げられ、複数種の導電性高分子を用いてもよい。
【００２１】
各蓄電デバイス１００は、図示しないデバイス素子と電解液とが収容された細長い有底円筒状の容器１１０と、ゴム成分を含む弾性材料により形成され、容器１１０の開口を封止する封口体１２０と、封口体１２０から外部に引き出される正極リード端子１３０および負極リード端子１４０と、を含む。正極リード端子１３０はデバイス素子の正極と電気的に接続され、負極リード端子１４０はデバイス素子の負極と電気的に接続される。
【００２２】
デバイスホルダ２００は、ポリブチレンテレフタレート（ＰＢＴ）、ポリフェニレンサルファイド（ＰＰＳ）などの樹脂材料により形成される。
【００２３】
デバイスホルダ２００は、５つの蓄電デバイス１００を左右方向に並んだ状態で保持するため、左右方向に連続する５つの収納部２１０を備える。各収納部２１０は、蓄電デバイス１００の周面の半分が収納できるように半円弧状に凹む。各収納部２１０には、上下方向の３か所に一対の爪部２１１が設けられる。各爪部２１１は、収納部２１０の円弧状の保持面と同じ曲率を有するように湾曲し、収納部２１０の内側に張り出す。各収納部２１０の保持面にも、図示しない一対の爪部が２か所に設けられる。各蓄電デバイス１００は、３か所の一対の爪部２１１と２か所の一対の爪部で挟み込まれることにより、各収納部２１０内に保持される。
【００２４】
デバイスホルダ２００の左右の側面には、上下方向に延びる差込リブ２２０が形成される。また、デバイスホルダ２００の底面には、左右方向に延びる差込リブ２３０が形成される。
【００２５】
回路基板３００は、左右方向に長いほぼ長方形状を有する。デバイスホルダ２００は、その左右の側面に設けられた、先端がフック状の爪部２４０を、回路基板３００の取付孔３０１に挿入する、いわゆるスナップフィットの構造により、回路基板３００に固定される。回路基板３００の上部が上方にはみ出し、デバイスホルダ２００の下部が下方にはみ出すように、デバイスホルダ２００と回路基板３００と前後方向に重なる。
【００２６】
回路基板３００には、５つの蓄電デバイス１００を直列または並列に接続するためのパターン配線（図示せず）が形成される。各蓄電デバイス１００の正極リード端子１３０および負極リード端子１４０がパターン配線に半田付けにより接続される。また、回路基板３００には、外部のバッテリー等からの電力供給により各蓄電デバイス１００に充電を行うための充電回路（図示せず）が配置される。なお、図２および図３には、充電回路に含まれるＦＥＴ（Field effect transistor）３０２とＦＥＴ３０２から放熱を行うための
ヒートシンク３０３とが示されている。
【００２７】
図４（ａ）ないし（ｃ）は、それぞれ、本実施の形態に係る、コネクタ６００が一体形成された蓋４００の正面斜視図、背面斜視図および底面斜視図である。図５は、本実施の形態に係る、コネクタ６００が一体形成された蓋４００の平面図である。なお、図４（ａ）ないし（ｃ）には、便宜上、本体部４１０の周面４１０ｃと突状部４３０との境界が破線で示されている。また、図５には、便宜上、突状部４３０にハッチングが施されている。さらに、図５には、蓋４００をケース５００に取り付けた状態でのガスケット８００の位置が破線により示されている。
【００２８】
蓋４００は、ポリブチレンテレフタレート（ＰＢＴ）、ポリフェニレンサルファイド（ＰＰＳ）などの樹脂材料により形成される。蓋４００は、左右方向に長いほぼ長方形の板状を有する本体部４１０を備える。本体部４１０は、天面４１０ａと、底面４１０ｂと、前後左右の側面からなり天面４１０ａおよび底面４１０ｂに垂直な周面４１０ｃとを含み、前後左右の４つの角部がＲ形状を有する。なお、周面４１０ｃには、右側面の部分に凹み部４１０ｄが形成される。
【００２９】
本体部４１０には、各角部に円形の角取付孔４１１が形成される。また、本体部４１０には、前側および後側において、長手方向である左右方向に並ぶ２つの角取付孔４１１の間に、２つの円形の中間取付孔４１２が形成される。本体部４１０の前端縁は、２つの中間取付孔４１２の周りの部分が台形状に前方へ張り出し、本体部４１０の後端縁は、２つの中間取付孔４１２の周りの部分が台形状に後方へ張り出す。
【００３０】
本体部４１０には、左右方向の中央よりも左側であって前後方向の中央に、円形の通気孔４１３が形成される。本体部４１０の天面４１０ａおよび底面４１０ｂには、それぞれ、通気孔４１３の周囲に円環状のリブ４１４、４１５が形成される。通気孔４１３は、リブ４１５に取り付けられた通気膜４２０により底面４１０ｂ側から覆われる。通気膜４２０は、撥水・撥油処理を施したポリエチレンテレフタレート（ＰＥＴ）製の不織布または織布からなる基材上にＰＴＦＥ多孔質膜を積層して、撥水・撥油膜を形成した部材であり、水をはじいて空気を通す性質を有する。
【００３１】
蓋４００には、その表側である本体部４１０の天面４１０ａに、本体部４１０の外周縁に沿って、ほぼ長方形の枠状の突状部４３０が、天面４１０ａから突出するように設けられる（図５参照）。突状部４３０は、角取付孔４１１および中間取付孔４１２を避けるために幅が狭くなった幅狭部４３１と、幅狭部４３１以外の部分である幅の広い幅広部４３２とを含む。幅広部４３２には、凹部である肉盗み部４３３が設けられる。また、蓋４００には、本体部４１０の天面４１０ａにおける突状部４３０の内側の領域に、リブ群４４０が、天面４１０ａから突出するように設けられる。リブ群４４０は、左右方向に延びる複数のリブ４４１と前後方向に延びる複数のリブ４４２とが適宜組み合わされた構成を有し、突状部４３０、通気孔４１３のリブ４１４およびコネクタ６００に繋がる。リブ群４４０の高さは、突状部４３０の高さより低くされる。
【００３２】
蓋４００には、その裏側である本体部４１０の底面４１０ｂに、全体として底面４１０ｂから隆起するように、内蓋部４５０が設けられる。内蓋部４５０は、ケース５００の開口部５０６の形状に対応する形状、即ち、４つの角部に大きなＲを有する長方形状を有し、蓋４００がケース５００に装着されたときにケース５００の内周壁面５０７の内側に入り込む。内蓋部４５０は、内蓋部４５０の外周縁部を形成する環状の外周リブ４５１を備える。また、内蓋部４５０は、外周リブ４５１の内側において、コネクタ６００の裏側の領域を肉厚にする四角形状の肉厚部４５２を備え、肉厚部４５２以外の領域にリブ群４５３を備える。リブ群４５３は、通気孔４１３のリブ４１５の周りを囲む環状のリブ４５４と、左右方向に延びる複数のリブ４５５と、前後方向に延びる複数のリブ４５６とが組み合わされた構成を有し、外周リブ４５１および肉厚部４５２に繋がる。外周リブ４５１の外周面４５１ａは、本体部４１０の底面４１０ｂに垂直であり、底面４１０ｂに繋がる。
【００３３】
蓋４００には、内蓋部４５０の左右の端部に、取付ボス４６０が設けられる。取付ボス４６０には、後方に開口するネジ穴４６１が形成される。
【００３４】
コネクタ６００は、蓋４００と一体形成され、ハウジング６１０と、複数の端子６２０とを含む。ハウジング６１０は、上面が開口する左右方向に長いほぼ直方体の箱状を有する。蓋４００の本体部４１０の一部がハウジング６１０の底面部６１１として共用される。ハウジング６１０の前後左右の側面からなる周面部６１２が、蓋４００の本体部４１０の天面４１０ａから突出する。複数の端子６２０は、インサート成形によって、ハウジング６１０の底面部６１１に、左右方向に並ぶように埋め込まれる。各端子６２０は、一端側がハウジング６１０の内部に収まり、他端側が蓋４００の裏側の内蓋部４５０から外部に突出する。各端子６２０の他端側は、ほぼＬ字に折り曲げられる。ハウジング６１０の底面部６１１は、各端子６２０を保持する部分の肉厚が大きくなるよう、各端子６２０の周囲部分６１１ａが隆起する。
【００３５】
このように、コネクタ６００が蓋４００に一体形成されているので、コネクタ６００のハウジング６１０と蓋４００との間に境目が生じない。このため、従来のような、蓋に貫通孔を設けて、貫通孔からコネクタを外部に露出させる構成と違って、コネクタと貫通孔との境目から水等が浸入することを懸念しなくてよい。
【００３６】
図３に示すように、蓋４００は、裏側の２つの取付ボス４６０が図示しないネジによって回路基板３００に取り付けられることにより、回路基板３００の上端部に固定される。コネクタ６００の各端子６２０が回路基板３００のパターン配線に接続される。これにより、５つの蓄電デバイス１００と、これら蓄電デバイス１００からの電力を出力するための端子６２０とが電気的に接続される。また、充電回路と、この充電回路にバッテリーからの電力を供給するための端子６２０とが電気的に接続される。
【００３７】
図６（ａ）および（ｂ）は、それぞれ、本実施の形態に係る、ガスケット８００が形成される前のケース５００の正面斜視図および背面斜視図である。図７（ａ）および（ｂ）は、それぞれ、本実施の形態に係る、ケース５００の平面図および正面図である。図８（ａ）は、本実施の形態に係る、図７（ａ）のＡ−Ａ´線で切断したケース５００の部分拡大断面図であり、図８（ｂ）は、本実施の形態に係る、図７（ａ）のＢ−Ｂ´線で切断したケース５００の部分拡大断面図である。なお、図７（ａ）には、便宜上、ガスケット８００にハッチングが施されている。
【００３８】
ケース５００は、ポリブチレンテレフタレート（ＰＢＴ）、ポリフェニレンサルファイド（ＰＰＳ）などの樹脂材料により形成される。ケース５００は、左右方向に広く前後方向に薄いほぼ直方体の箱状に形成され、底面部５０１と、前側面部５０２と、後側面部５０３と、左側面部５０４と、右側面部５０５とを含み、上端面に開口部５０６を有する。ケース５００は、各側面部５０２〜５０５同士の間の４つの角部が大きなＲ形状に形成される。これにより、ケース５００の底面部５０１および開口部５０６の形状は、４つの角部に大きなＲ形状を有する長方形となる。
【００３９】
左側面部５０４と後側面部５０３との間の角部および右側面部５０５と後側面部５０３との間の角部には、上部および下部に、後方に向くほぼ円筒形状の取付ボス５１０が設けられる。各取付ボス５１０には、円筒形状を有する金属製のナット５１１が埋め込まれる。また、各取付ボス５１０には、周面に、角部に繋がる５つの補強用のリブ５１２が形成され、端面に、左側面部５０４または右側面部５０５に繋がる２つの補強用のリブ５１３が形成される。
【００４０】
ケース５００の外壁面には、上部および下部の前側に、横方向に延びる３本の補強用のリブ５２１が形成され、上部および下部の後側に、横方向に延びる３本の補強用のリブ５２２が形成される。前側の３本のリブ５２１のうち、上下の２本のリブ５２１は、前側面部５０２と左側面部５０４と右側面部５０５とに亘って設けられ、その両端部が取付ボス５１０の２本のリブ５１３に繋がり、中央のリブ５２１は、前側面部５０２とその両側の角部に亘って設けられる。後側の３本のリブ５２２は、後側面部５０３に設けられ、その両端部が取付ボス５１０の後側の３本のリブ５１２に繋がる。また、ケース５００の内部には、前側面部５０２および後側面部５０３の内壁面に、それぞれ、その上端から下端に亘って縦方向（上下方向）に延びる補強用の６本のリブ５３１、５３２が、左右方向に適宜の間隔を有して設けられる。
【００４１】
このように、ケース５００の前側面部５０２および後側面部５０３では、外壁面の複数のリブ５２１、５２２と内壁面の複数のリブ５３１、５３２とが格子状に設けられるので、左側面部５０４および右側面部５０５に比べて面積が大きい前側面部５０２および後側面部５０３が良好に補強され、以てケース５００全体が良好に補強される。しかも、格子を形成する複数のリブ５２１、５２２、５３１、５３２が外壁面と内壁面とに分かれて設けられているので、ケース５００の外壁面の凹凸を少なくできて外壁面に埃等の異物が付着しにくくなる。また、ケース５００の内壁面に縦方向のリブ５３１、５３２が設けられているので、ケース５００を成形により製造する際、ケース５００の内部から金型を容易に抜くことができ、金型の構造が複雑にならない。
【００４２】
さらに、ケース５００の外壁面の前側の２本のリブ５２１は、取付ボス５１０のリブ５１３に繋げられており、ケース５００の外壁面の後側の３本のリブ５２２は、取付ボス５１０のリブ５１２に繋げられているので、これらリブ５２１、５２２を強くすることができて、ケース５００をより良好に補強できる。
【００４３】
ケース５００の内部において、底面部５０１の内壁面には、左右方向に延びる２つのリブ５４１により底面ホルダ固定溝５４２が、左右方向の３か所に分かれて設けられる。また、左側面部５０４および右側面部５０５には、上下方向に延び３つのリブ５４３により側面ホルダ固定溝５４４と基板固定溝５４５とが設けられる。底面ホルダ固定溝５４２と側面ホルダ固定溝５４４は、前後方向における位置が同じとなる。蓄電デバイス１００を保持したデバイスホルダ２００と回路基板３００とがケース５００内に収容されると、デバイスホルダ２００の側面の差込リブ２２０が側面ホルダ固定溝５４４に差し込まれ、デバイスホルダ２００の底面の差込リブ２３０が底面ホルダ固定溝５４２に差し込まれる。また、回路基板３００の左端部および右端部が、それぞれ、左側面部５０４および右側面部５０５の基板固定溝５４５に差し込まれる。これにより、蓄電デバイス１００を保持したデバイスホルダ２００と回路基板３００とがケース５００に内部において固定される。
【００４４】
なお、ケース５００の前後左右４つの側面部５０２、５０３、５０４、５０５の内壁面により内周壁面５０７が構成される。
【００４５】
ケース５００には、上端部に、蓋４００が装着される蓋装着部５５０が設けられる。蓋装着部５５０は、蓋４００が収容できるように、蓋４００に対応する形状に凹む。蓋装着部５５０は、開口部５０６の外周に設けられ、開口部５０６と同じ側、即ち上側を向く内側縁面５５１と、内側縁面５５１の外周に設けられ、ケース５００の底面部５０１からの高さが内側縁面５５１よりも一段高い外側縁面５５２と、内側縁面５５１と外側縁面５５２とに繋がる、これらの縁面５５１、５５２に垂直な内側周面５５３と、外側縁面５５２の外周に設けられ、外側縁面５５２に垂直な外側周面５５４とを含む。内側縁面５５１は、開口部５０６の外形と同じ形状の所定幅の帯状を有する。外側縁面５５２は、蓋４００の本体部４１０と同じ外形状を有する。蓋装着部５５０の外側縁面５５２まで深さは、蓋４００の本体部４１０の厚さとほぼ同じであり、外側縁面５５２から内側縁面５５１までの深さは、蓋４００の裏側の内蓋部４５０の高さよりも小さい。
【００４６】
図７（ａ）に示すように、蓋装着部５５０の内側縁面５５１には、封止部材であるガスケット８００が配置される。ガスケット８００は、内側縁面５５１の形状と同様のループ形状を有する。ガスケット８００は、弾性を有する紫外線硬化樹脂、たとえば、アクリル系樹脂、シリコン系樹脂などにより形成される。即ち、ガスケット８００の形状となるように内側縁面５５１上に粘性の高い液状（ゲル状）の紫外線硬化樹脂を塗布し、塗布した紫外線硬化樹脂に紫外線を照射して硬化させることにより、内側縁面５５１に強く密着したガスケット８００が出来上がる。図８（ａ）および（ｂ）に示すように、内側縁面５５１上で形成されたガスケット８００は、上側がほぼ球面状を有し、外側縁面５５２よりも僅かに（たとえば、０．５ｍｍ程度）上方に突出する。また、ガスケット８００と内側周面５５３との間には僅かに隙間が形成される。
【００４７】
外側縁面５５２には、４つの角部に円形の角ネジ穴５５５が形成される。また、外側縁面５５２には、前側および後側において、長手方向である左右方向に並ぶ２つの角ネジ穴５５５の間に、２つの円形の中間ネジ穴５５６が形成される。２つの中間ネジ穴５５６は、ケース５００の左右方向における中心から等しい距離に設けられる。ここで、図７（ａ）に示すように、中間ネジ穴５５６とその中間ネジ穴５５６に近い側の角ネジ穴５５５との距離Ｄ１は、中間ネジ穴５５６同士の距離Ｄ２よりも短くされる。即ち、２つの中間ネジ穴５５６は、ケース５００の長手方向において、２つの距離Ｄ１、Ｄ２が等しくなるように均等に配置されるのではなく、少し角部に寄るように配置される。さらに、短手方向である前後に並ぶ２つの角ネジ穴５５５同士の距離Ｄ３は、中間ネジ穴５５６と角ネジ穴５５５との距離Ｄ１よりも短くされる。
【００４８】
外側縁面５５２の前端縁は、２つの中間ネジ穴５５６の周りの部分が台形状に前方へ張り出し、外側縁面５５２の後端縁は、２つの中間ネジ穴５５６の周りの部分が台形状に後方へ張り出す。蓋装着部５５０には、各ネジ穴５５５、５５６の位置に取付ボス５５７が設けられ、各ネジ穴５５５、５５６が取付ボス５５７の内部まで延びる。各取付ボス５５７には補強用のリブ５５７ａが形成される。前側面部５０２側の２つの取付ボス５５７のリブ５５７ａは前側面部５０２のリブ５２１に繋がり、後側面部５０３側の２つの取付ボス５５７のリブ５５７ａは後側面部５０３のリブ５２２に繋がる。
【００４９】
蓄電デバイス１００が保持されたデバイスホルダ２００と回路基板３００とがケース５００内に収容され、蓋４００がケース５００の蓋装着部５５０に装着される。蓋４００の各角取付孔４１１および各中間取付孔４１２とケース５００の各角ネジ穴５５５および各中間ネジ穴５５６とが整合する。各角取付孔４１１および各中間取付孔４１２を通されたネジ７００が、各角ネジ穴５５５および各中間ネジ穴５５６に止められる。これにより、蓋４００がケース５００に固定され、ケース５００の開口部５０６が蓋４００で塞がれる。こうして、蓄電モジュール１が組み上がる。
【００５０】
図９は、本実施の形態に係る、図７（ａ）のＡ−Ａ´線と同じ位置で切断された蓄電モジュール１の部分拡大断面図である。図１０は、本実施の形態に係る、図７（ａ）のＢ−Ｂ´線と同じ位置で切断された蓄電モジュール１の部分拡大断面図である。なお、図９および図１０では、便宜上、蓄電デバイス１００、デバイスホルダ２００および回路基板３００の図示が省略されている。
【００５１】
ケース５００に蓋４００が装着された状態において、蓋４００の底面４１０ｂとケース５００の内側縁面５５１とが対向し、これらの間にガスケット８００が配置される。また、蓋４００の底面４１０ｂが外側縁面５５２に接触する。ガスケット８００は、蓋４００の底面４１０ｂとケース５００の内側縁面５５１とで圧縮され、潰れた状態となる。上述の通り、ガスケット８００は、ゲル状態で内側縁面５５１に塗布されることで内側縁面５５１と強く密着した状態となる。このため、ガスケット８００と内側縁面５５１との間の密着強度は、ガスケット８００と蓋４００の底面４１０ｂとの間の密着強度よりも大きくなる。ガスケット８００は、ケース５００の内側周面５５３と、これに対向する蓋４００の外周リブ４５１の外周面４５１ａとの間に存在し、内側周面５５３と接触するが、外周リブ４５１の外周面４５１ａとは接触しない。
【００５２】
なお、ガスケット８００と内側縁面５５１との間の密着強度と、ガスケット８００と蓋４００の底面４１０ｂとの間の密着強度のどちらが大きいかは、蓋４００をケース５００から取り外したときに、ガスケット８００が蓋４００とケース５００のどちらに貼り付いているかにより確認できる。本実施の形態では、ガスケット８００と内側縁面５５１との間の密着強度が、ガスケット８００と蓋４００の底面４１０ｂとの間の密着強度よりも大きいため、蓋４００をケース５００から取り外したときに、ガスケット８００がケース５００に貼り付く状態となる。
【００５３】
ケース５００の外側周面５５４が蓋４００の周面４１０ｃに外側から対向し、ケース５００の内周壁面５０７が蓋４００の外周リブ４５１の外周面４５１ａに外側から対向する。ケース５００の外側周面５５４と蓋４００の周面４１０ｃとの間には、隙間Ｓ１が設けられ、ケース５００の内周壁面５０７と蓋４００の外周リブ４５１の外周面４５１ａとの間には、隙間Ｓ２が設けられる。ケース５００の外側周面５５４と蓋４００の周面４１０ｃとの距離Ｄ４は、全体として（周面４１０ｃの凹み部４１０ｄ部分での隙間を除いて）ケース５００の内周壁面５０７と蓋４００の外周リブ４５１の外周面４５１ａとの距離Ｄ５よりも短くされている。
【００５４】
なお、ケース５００の外側周面５５４と蓋４００の周面４１０ｃとの間に全周に亘って隙間Ｓ１が設けられるのではなく、一部分において、ケース５００の外側周面５５４と蓋４００の周面４１０ｃとが接触していてもよい。同様に、ケース５００の内周壁面５０７と蓋４００の外周リブ４５１の外周面４５１ａとの間に全周に亘って隙間Ｓ２が設けられるのではなく、一部分において、ケース５００の内周壁面５０７と蓋４００の外周リブ４５１の外周面４５１ａとが接触していてもよい。
【００５５】
蓋４００（本体部４１０）の外周縁近傍部分は、その底面４１０ｂでガスケット８００を押さえ付けているため、ガスケット８００から弾性力を受ける。そこで、蓋４００の外周縁近傍部分には、ガスケット８００の図５の破線に示すように、蓋４００、即ちケース５００の開口部５０６を正面視したときに、ガスケット８００に沿うように、より具体的には、ガスケット８００の真上に重なるように突状部４３０が形成されており、この部分の蓋４００の肉厚が本体部４１０の肉厚よりも厚くされている。これにより、ガスケット８００の弾性力による蓋４００の変形が防止される。
【００５６】
蓄電モジュール１が自動車等の内部に設けられた外部装置に搭載される際、ケース５００の後側面部５０３側が、取付ボス５１０へのネジ止めによって外部装置の固定部に固定される。そして、外部装置に備えられたコネクタ（図示せず）が、蓄電モジュール１のコネクタ６００に接続される。外部装置側で電力のアシスト、バックアップなどが必要となった際には、５つの蓄電デバイス１００から出力された電力がコネクタ６００および外部装置のコネクタを通じて外部装置へ供給される。
【００５７】
使用時の蓄電デバイス１００の発熱等によりケース５００内で温度上昇が生じると、ケース５００内の空気が膨張する。このとき、膨張した空気が通気膜４２０を通過して通気孔４１３から外部に逃げるので、ケース５００の内圧が上昇することが防止される。一方で、通気孔４１３から水が侵入しても、その水は通気膜４２０を通過できない。このため、ケース５００内へ水の侵入が防止される。
【００５８】
＜実施の形態の効果＞
以上、本実施の形態の蓄電モジュール１について説明した。本実施の形態の蓄電モジュール１によれば、以下の効果を奏することができる。
【００５９】
ケース５００の内側縁面５５１と蓋４００の底面４１０ｂとの間にガスケット８００を介在させることによりケース５００と蓋４００との間の水封性を高めることができる。これにより、蓄電モジュール１に水が降りかかるなどし、ケース５００と蓋４００の境目から水が浸入しても、その水がケース５００の内部に侵入してしまうことを防止できる。
【００６０】
また、蓋４００の底面４１０ｂがケース５００の内側縁面５５１よりも高い外側縁面５５２に接触する構成とされているので、蓋４００の底面４１０ｂをケース５００の外側縁面５５２で受け止めることができる。これにより、ガスケット８００が必要以上に蓋４００で押さえ付けられてしまうことが防止でき、ガスケット８００の破損等が防止できる。
【００６１】
さらに、ガスケット８００がケース５００の内側周面５５３に接触する構成とされているので、ケース５００の内側周面５５３と内側縁面５５１とを伝ってケース５００の内部へ水が浸入しようとする経路において、水封部分を長くすることができる。これにより、ケース５００と蓋４００との間の水封性を一層高めることができる。
【００６２】
さらに、蓋４００の外周リブ４５１の外周面４５１ａがガスケット８００に接触しない構成とされているので、外周面４５１ａとガスケット８００とが対向する方向に蓄電モジュール１が振動することが生じても、ガスケット８００が外周面４５１ａから応力を受けにくく、その応力の影響を受けてガスケット８００が劣化する、ということが生じにくい。
【００６３】
さらに、ケース５００の外側周面５５４と蓋４００の周面４１０ｃとの間に隙間Ｓ１が設けられており、ケース５００の内周壁面５０７と蓋４００の外周リブ４５１の外周面４５１ａとの間に隙間Ｓ２が設けられているので、蓋４００をケース５００に容易に装着できる。しかも、ケース５００の外側周面５５４と蓋４００の周面４１０ｃとの距離Ｄ４がケース５００の内周壁面５０７と蓋４００の外周リブ４５１の外周面４５１ａとの距離Ｄ５よりも短くされている、言い換えれば、距離Ｄ５が距離Ｄ４よりも長くなるようにされているので、ケース５００の外側周面５５４と蓋４００の周面４１０ｃとの間から水がガスケット８００側へ侵入しにくくなるともに、ケース５００の内側縁面５５１において、製造誤差等によりガスケット８００がケース５００の内周壁面５０７側に寄って配置されるようなことが生じても、蓋４００の外周リブ４５１の外周面４５１ａがガスケット８００に接触しにくくなる。
【００６４】
さらに、蓋４００の天面４１０ａには、ガスケット８００に沿うように突状部４３０が形成されており、ガスケット８００の弾性力を受ける部分の蓋４００の厚みが厚くされているので、ガスケット８００の弾性力による蓋４００の変形を防止でき、蓋４００の変形による蓋４００とケース５００との水封性の低下を防止できる。しかも、蓋４００全体の厚みが厚くされないので、蓋４００を成形する際の樹脂（たとえば、ＰＢＴ）の流動性が損なわれず、蓋４００を良好に製造できる。あるいは、蓋４００に使用される樹脂量を少なくでき、材料コストの低減等が図れる。特に、突状部４３０は、ケース５００の開口部５０６を正面視したときに、ガスケット８００に重なるように設けられているので、蓋４００をより効果的に補強できて、蓋４００の変形をより効果的に防止できる。
【００６５】
さらに、ガスケット８００が紫外線硬化樹脂により形成される構成とされているので、ゲル状の紫外線固化樹脂を、ガスケット８００の形となるようにケース５００の内側縁面５５１に塗布して硬化させることで、ガスケット８００を内側縁面５５１に容易に組み付けることができる。なお、ゴム材料等からなる完成部品のループ状のガスケットは、その形が定まりにくい（しっかりと形を維持しにくい）ため、内側縁面５５１に容易に組み付けにくい。
【００６６】
さらに、蓋４００が上側に向けられるように蓄電モジュール１が設置されたときに、ケース５００と蓋４００の境目である、ケース５００の外側周面５５４と蓋４００の周面４１０ｃとの間から水が浸入しやくなる。このとき、侵入した水は、重力の関係から、上側である蓋４００の底面４１０ｂとガスケット８００との間よりも下側であるケース５００の内側縁面５５１とガスケット８００との間に向かいやすくなる。しかしながら、本実施の形態では、ケース５００の内側縁面５５１とガスケット８００との間の密着強度が蓋４００の底面４１０ｂとガスケット８００との間の密着強度よりも高いので、ケース５００の内側縁面５５１とガスケット８００との間に向かってきた水を良好に止めることができる。
【００６７】
さらに、ケース５００の蓋装着部５５０には、４つの角部に角ネジ穴５５５が設けられているので、それらに対応する４本のネジ７００の締付により、ガスケット８００の弾性力により最もケース５００から浮きやすい蓋４００の４つの角部をケース５００側に押さえ付けることができる。また、ケース５００の長手方向では、ケース５００の前縁部および後縁部において、２つの角ネジ穴５５５の間に２つの中間ネジ穴５５６が設けられており、２つの中間ネジ穴５５６が、長手方向に均等ではなく左右の角部に寄るように配置されるので、それらに対応する４本のネジ７００により、蓋４００の前縁部および後縁部における、ガスケット８００による弾性力が強くなる左右の角部の近くをしっかりとケース５００側に押さえ付けることができる。このように、ガスケット８００による弾性力を考慮し、８本のネジ７００による締付によって、蓋４００をケース５００にバランスよく押さえ付けることができるので、ガスケット８００による蓋４００とケース５００との間の水封性を良好に維持することが可能となる。
【００６８】
以上、本発明の実施の形態について説明したが、本発明は、上記実施の形態に限定されるものではなく、また、本発明の適用例も、上記実施の形態の他に、種々の変更が可能である。
【００６９】
たとえば、上記実施の形態では、紫外線硬化樹脂からなるガスケット８００がケース５００の内側縁面５５１上に形成された。しかしながら、ガスケット８００を蓋４００の底面４１０ｂ上に形成することもできる。但し、このような構成とされた場合、蓋４００にガスケット８００が形成された後、蓋４００が回路基板３００に取り付けられ、コネクタ６００の端子６２０の半田付け工程などが行われる。このため、蓋４００がケース５００に装着されるまでに時間を要し、その間のガスケット８００への異物の付着が懸念される。一方、ガスケット８００がケース５００の内側縁面５５１上に形成される場合は、ガスケット８００の形成後、短い時間での蓋４００のケース５００への装着が可能となる。このため、ケース５００側にガスケット８００が形成されることがより望ましい。
【００７０】
また、上記実施の形態では、ケース５００の内側縁面５５１と蓋４００の底面４１０ｂとの間に紫外線硬化樹脂からなるガスケット８００を介在させた。しかしながら、ケース５００の内側縁面５５１と蓋４００の底面４１０ｂとの間にゴム材料からなるガスケットを介在させるようにしてもよい。あるいは、これらのように弾性体のガスケットを用いるのではなく、ケース５００の内側縁面５５１と蓋４００の底面４１０ｂとの間に接着剤を介在させ、接着剤によるケース５００の内側縁面５５１と蓋４００の底面４１０ｂとの接着によりケース５００と蓋４００との間を水封するようにしてもよい。この場合、ネジ７００による蓋４００とケース５００との固定が必要なくなるが、蓋４００をケース５００から容易に取り外せなくなる。
【００７１】
さらに、上記実施の形態では、ケース５００に角ネジ穴５５５と中間ネジ穴５５６とが設けられ、これら角ネジ穴５５５と中間ネジ穴５５６にネジ７００が止められることにより、蓋４００とケース５００とが固定された。しかしながら、ケース５００には、角ネジ穴５５５と中間ネジ穴５５６との位置に、角ネジ穴５５５と中間ネジ穴５５６とは異なる固定部が設けられ、これら固定部を用いて蓋４００とケース５００とが固定されてもよい。たとえば、爪と、爪が差し込まれる爪孔との係合により蓋４００とケース５００とが固定される場合、爪および爪孔のうち、一方がケース５００に設けられる固定部となる。また、爪および爪孔のうち、他方が蓋４００に設けられる。
【００７２】
さらに、上記実施の形態では、蓄電モジュール１に５つの蓄電デバイス１００が用いられたが、これに限られることなく、その他の個数の蓄電デバイス１００が蓄電モジュール１に用いられてもよい。
【００７３】
さらに、上記実施の形態では、蓄電デバイス１００として、電気二重層キャパシタが用いられた。しかしながら、蓄電デバイス１００として、キャパシタではなく、たとえば、正極の活物質がコバルト酸リチウムなどのリチウム遷移金属酸化物であり、負極の活物質が炭素材料であるリチウムイオン二次電池が用いられてもよい。さらに、蓄電デバイス１００は、このような非水電解質二次電池でなく、非水電解質二次電池以外の二次電池であってもよいし、また、一次電池であってもよい。
【００７４】
この他、本発明の実施の形態は、特許請求の範囲に示された技術的思想の範囲内において、適宜、種々の変更が可能である。
【００７５】
なお、上記実施の形態の説明において「上方」「下方」等の方向を示す用語は、構成部材の相対的な位置関係にのみ依存する相対的な方向を示すものであり、鉛直方向、水平方向等の絶対的な方向を示すものではない。
【産業上の利用可能性】
【００７６】
本発明は、各種電子機器、電気機器、産業機器、車両の電装等に使用される蓄電モジュールに有用である。
【符号の説明】
【００７７】
１  蓄電モジュール
１００  蓄電デバイス
４００  蓋
４１０ａ  天面（第４の蓋面）
４１０ｂ  底面（第１の蓋面）
４１０ｃ  周面（第３の蓋面）
４３０  突状部
４５１ａ  外周面（第２の蓋面）
５００  ケース
５０１  底面部
５０６  開口部
５０７  内周壁面（第５のケース面）
５５１  内側縁面（第１のケース面）
５５２  外側縁面（第２のケース面）
５５３  内側周面（第３のケース面）
５５４  外側周面（第４のケース面）
５５５  角ネジ穴（第１のネジ止め部）
５５６  中間ネジ穴（第２のネジ止め部）
７００  ネジ
８００  ガスケット（封止部）
Ｓ１  隙間（第１の隙間）
Ｓ２  隙間（第２の隙間）
【図１】
2019189162.tif 000003
【図２】
2019189162.tif 000004
【図３】
2019189162.tif 000005
【図４】
2019189162.tif 000006
【図５】
2019189162.tif 000007
【図６】
2019189162.tif 000008
【図７】
2019189162.tif 000009
【図８】
2019189162.tif 000010
【図９】
2019189162.tif 000011
【図１０】
2019189162.tif 000012
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
蓄電デバイスと、
底面部と前記底面部の反対側に位置する開口部とを有し、前記蓄電デバイスが収容されるケースと、
前記開口部を覆う蓋と、
前記ケースと前記蓋の間を封止する封止部材と、を備え、
前記ケースは、前記開口部の外周に沿って、前記開口部を取り囲む第１のケース面を有し、
前記蓋は、前記第１のケース面と対向する第１の蓋面を有し、
前記封止部材は、前記第１のケース面と前記第１の蓋面との間に配置される、
蓄電モジュール。
【請求項２】
請求項１に記載の蓄電モジュールにおいて、
前記ケースは、前記第１のケース面の外側に、前記第１のケース面よりも前記底面部から離れた位置に配置される第２のケース面を有し、
前記第１の蓋面と前記第２のケース面とが接触する、
蓄電モジュール。
【請求項３】
請求項２に記載の蓄電モジュールにおいて、
前記ケースは、前記第１のケース面と前記第２のケース面とを繋き、前記第１のケース面と前記第２のケース面と交差する第３のケース面を有し、
前記封止部材は、前記第３のケース面と接触する、
蓄電モジュール。
【請求項４】
請求項３に記載の蓄電モジュールにおいて、
前記蓋は、前記第１の蓋面に繋がり、前記第３のケース面と対向する第２の蓋面を有し、
前記封止部材は、前記第３のケース面と前記第２の蓋面との間に配置され、前記第２の蓋面とは離間している、
蓄電モジュール。
【請求項５】
請求項４に記載の蓄電モジュールにおいて、
前記蓋は、前記第１の蓋面の外周に、前記第１の蓋面と交差する第３の蓋面を有し、
前記ケースは、前記第２のケース面の外周に繋がり、前記第２のケース面と交差する第４のケース面を有し、
前記第４のケース面は、前記第３の蓋面と対向し、
前記第４のケース面と前記第３の蓋面との間に第１の隙間が設けられる、
蓄電モジュール。
【請求項６】
請求項５に記載の蓄電モジュールにおいて、
前記ケースは、前記第１のケース面の内周に繋がり、前記第１のケース面と交差する第５のケース面を有し、
前記第５のケース面は、前記第２の蓋面と対向し、
前記第５のケース面と前記第２の蓋面との間に第２の隙間が設けられ、
前記第１の隙間における前記第４のケース面と前記第３の蓋面の間の距離が、前記第２の隙間における前記第５のケース面と前記第２の蓋面の間の距離よりも小さい、
蓄電モジュール。
【請求項７】
請求項１ないし６の何れか一項に記載の蓄電モジュールにおいて、
前記封止部材は、弾性体であり、前記第１のケース面と前記第１の蓋面との間で圧縮されている、
蓄電モジュール。
【請求項８】
請求項７に記載の蓄電モジュールにおいて、
前記蓋は、前記第１の蓋面の反対側に位置する第４の蓋面を有し、
前記第４の蓋面から突出し、前記封止部材に沿う突状部が設けられる、
蓄電モジュール。
【請求項９】
請求項８に記載の蓄電モジュールにおいて、
前記突状部は、前記開口部から前記底面部へ向かう方向から見たときに、前記封止部材と重なるように配置される、
蓄電モジュール。
【請求項１０】
請求項７ないし９の何れか一項に記載の蓄電モジュールにおいて、
前記第１のケース面と前記封止部材の密着強度は、前記第１の蓋面と前記封止部材の密着強度よりも大きい、
蓄電モジュール。
【請求項１１】
請求項７ないし１０の何れか一項に記載の蓄電モジュールにおいて、
前記封止部材は、紫外線硬化樹脂により形成される、
蓄電モジュール。
【請求項１２】
請求項７ないし１１の何れか一項に記載の蓄電モジュールにおいて、
前記ケースは、前記開口部を取り囲む部分の外周が長方形であり、前記長方形の４つの角部にそれぞれ第１の固定部を有するとともに、前記４つの角部の内の前記長方形の長辺に沿って並ぶ２つの角部の間に、前記長辺に沿って配置される２つの第２の固定部を有し、
前記２つの第２の固定部の内の１つと前記２つの第２の固定部の内の当該１つに最も近い前記第１の固定部との距離は、前記２つの第２の固定部の間の距離よりも小さく、
前記蓋は、前記第１の固定部および前記２つの第２の固定部のそれぞれにおいて前記ケースに固定されている、
蓄電モジュール。
【手続補正２】
【補正対象書類名】明細書
【補正対象項目名】０００８
【補正方法】変更
【補正の内容】
【０００８】
本発明の主たる態様に係る蓄電モジュールは、蓄電デバイスと、底面部と前記底面部の反対側に位置する開口部とを有し、前記蓄電デバイスが収容されるケースと、前記開口部を覆う蓋と、前記ケースと前記蓋の間を封止する封止部材と、を備える。ここで、前記ケースは、前記開口部の外周に沿って、前記開口部を取り囲む第１のケース面を有する。前記蓋は、前記第１のケース面と対向する第１の蓋面を有する。前記封止部材は、前記第１のケース面と前記第１の蓋面との間に配置される。
【手続補正３】
【補正対象書類名】明細書
【補正対象項目名】０００９
【補正方法】変更
【補正の内容】
【０００９】
なお、特許請求の範囲において、「対向」の用語は、必ずしも向き合うもの同士が平行であることを意味しない。
【手続補正４】
【補正対象書類名】明細書
【補正対象項目名】００１４
【補正方法】変更
【補正の内容】
【００１４】
本実施の形態において、天面４１０ａが、特許請求の範囲に記載の「第４の蓋面」に対応する。また、底面４１０ｂが、特許請求の範囲に記載の「第１の蓋面」に対応する。さらに、周面４１０ｃが、特許請求の範囲に記載の「第３の蓋面」に対応する。さらに、外周面４５１ａが、特許請求の範囲に記載の「第２の蓋面」に対応する。さらに、内周壁面５０７が、特許請求の範囲に記載の「第５のケース面」に対応する。さらに、内側縁面５５１が、特許請求の範囲に記載の「第１のケース面」に対応する。さらに、外側縁面５５２が、特許請求の範囲に記載の「第２のケース面」に対応する。さらに、内側周面５５３が、特許請求の範囲に記載の「第３のケース面」に対応する。さらに、外側周面５５４が、特許請求の範囲に記載の「第４のケース面」に対応する。さらに、角ネジ穴５５５が、特許請求の範囲に記載の「第１の固定部」に対応する。さらに、中間ネジ穴５５６が、特許請求の範囲に記載の「第２の固定部」に対応する。さらに、ガスケット８００が、特許請求の範囲に記載の「封止部材」に対応する。さらに、隙間Ｓ１が、特許請求の範囲に記載の「第１の隙間」に対応し、隙間Ｓ２が、特許請求の範囲に記載の「第２の隙間」に対応する。
【手続補正５】
【補正対象書類名】明細書
【補正対象項目名】００５５
【補正方法】変更
【補正の内容】
【００５５】
蓋４００（本体部４１０）の外周縁近傍部分は、その底面４１０ｂでガスケット８００を押さえ付けているため、ガスケット８００から弾性力を受ける。そこで、蓋４００の外周縁近傍部分には、図５の破線に示すように、蓋４００、即ちケース５００の開口部５０６を正面視したときに、ガスケット８００に沿うように、より具体的には、ガスケット８００の真上に重なるように突状部４３０が形成されており、この部分の蓋４００の肉厚が本体部４１０の肉厚よりも厚くされている。これにより、ガスケット８００の弾性力による蓋４００の変形が防止される。
【国際調査報告】
2019189162.tif 000013
2019189162.tif 000014
2019189162.tif 000015